(57)【要約】      （修正有）【課題】画像出力装置の排出部に対して操作者が必要に応じて記録媒体の記録画像を目立たなくする収容容器を容易に着脱することができる画像出力装置を提供すること。【解決手段】画像出力装置の排出部に設けられ、前記排出部から排出される記録媒体を収容し、前記記録媒体の記録画像を外部から目視不可とする収容容器を着脱自在に装着する収容容器装着手段を備えるように構成して課題を解決した。【選択図】図１
2010149956.tif 000002
【特許請求の範囲】
【請求項１】
画像出力装置の排出部に設けられ、前記排出部から排出される記録媒体を収容し、前記記録媒体の記録画像を外部から目視不可とする収容容器を着脱自在に装着する収容容器装着手段を備えたことを特徴とする記録媒体収容装置。
【請求項２】
前記排出部から排出された記録媒体を、前記収容容器の内部へと案内する案内部材を備えていることを特徴とする請求項１に記載の記録媒体収容装置。
【請求項３】
前記画像出力装置の前記排出部から排出された記録媒体を受ける排出トレイを取り外した状態、又は前記排出トレイが退避した状態で、前記収容容器を着脱自在に構成したことを特徴とする請求項１又は２に記載の記録媒体収容装置。
【請求項４】
前記収容容器は、前記排出部から排出される記録媒体を、当該記録媒体の自重によって内部に収容することを特徴とする請求項１乃至３のいずれかに記載の記録媒体収容装置。
【請求項５】
前記収容容器は、フィルム状の合成樹脂によって上端面が全面開口し、且つ上端開口部の両側に環状の把手部を有する袋状に形成されており、前記収容容器は、環状の把手部を収容容器装着手段に係止することによって、当該収容容器装着手段に装着されることを特徴とする請求項１乃至４のいずれかに記載の記録媒体収容装置。
【請求項６】
前記収容容器は、上端面が全面開口又は開閉自在な箱体状に形成されており、前記収容容器は、箱体状に形成された当該収容容器を収容容器装着手段に配置することによって装着されることを特徴とする請求項１乃至５のいずれかに記載の記録媒体収容装置。
【請求項７】
前記収容容器装着手段の近傍に、当該収容容器装着手段に収容容器が装着されたか否かを検知する検知手段を備えたことを特徴とする請求項１乃至６のいずれかに記載の記録媒体収容装置。
【請求項８】
前記検知手段が前記収容容器装着手段に収容容器が装着されたことを検知しない場合は、記録媒体の排出を禁止することを特徴とする請求項７に記載の記録媒体収容装置。
【請求項９】
画像を記録媒体に出力する画像出力部と、
前記画像出力部によって画像が出力された記録媒体を排出する排出部と、
前記排出部に設けられ、前記排出部から排出される記録媒体を収容し、前記記録媒体の記録画像を外部から目視不可とする収容容器を着脱自在に装着する収容容器装着手段とを備えたことを特徴とする画像出力装置。
【請求項１０】
前記画像出力装置は、複数の排出部を備えており、前記収容容器装着手段は、複数の排出部のうちの少なくとも１つの排出部に設けられていることを特徴とする請求項９に記載の画像出力装置。
【請求項１１】
前記収容容器装着手段の近傍に、当該収容容器装着手段に収容容器が装着されたか否かを検知する検知手段を備えたことを特徴とする請求項９又は１０に記載の画像出力装置。
【請求項１２】
前記画像出力装置は、前記画像出力部によって画像が出力された記録媒体を、通常の排出部に排出する通常排出モードと、
前記画像出力部によって画像が出力された記録媒体を、前記収容容器装着手段が設けられた排出部に排出する特殊排出モードとを備えていることを特徴とする請求項９乃至１１のいずれかに記載の画像出力装置。
【発明の詳細な説明】
【技術分野】
【０００１】
この発明は、記録媒体収容装置及び画像出力装置に関するものである。
【背景技術】
【０００２】
【特許文献１】特開平５−２８６６４０号公報
【特許文献２】特開平５−３１９４０６号公報
【特許文献３】特開平６−２１９６２７号公報
【特許文献４】特開平６−２１９６２８号公報
【特許文献５】特開平７−３１５６７８号公報
【０００３】
近年、上記画像出力装置は、コンビニエンスストアや公共施設などにも広く設置されてきており、文書の複写以外にもデジタルカメラ等で撮影した画像情報のプリントや文書情報のファクシミリ機能による送受信などに使用されている。かかる画像出力装置では、第三者が見得る状態で、画像情報のプリントや文書情報の受信などが行なわれるので、プライバシーの保護強化や情報の漏洩防止等を目的として、特定の個人宛にファクシミリ機能で受信された文書、あるいは個人的な目的で複写やプリントした文書や画像の内容が第三者に見られるのを防止するため、ファクシミリ機能で受信した文書等を封入した状態で出力する袋綴じ状封筒作成装置や記録紙後処理装置などが、種々提案されている。
【０００４】
かかる提案に関連する技術としては、例えば、特開平５−２８６６４０号公報、特開平５−３１９４０６号公報、特開平６−２１９６２７号公報、特開平６−２１９６２８号公報、特開平７−３１５６７８号公報等に開示されたものが既に提案されている。
【０００５】
上記特開平５−２８６６４０号公報に係る袋綴じ状封筒作成装置は、通常記録紙のサイズを自動的にまたは指定することにより選定する通常記録紙選定手段と、通常記録紙選定手段によって選定された通常記録紙の２倍のサイズの表紙記録紙を自動的に選定する表紙記録紙選定手段と、画像形成装置から排出された表紙記録紙をビン側に搬送する搬送手段と、表紙記録紙を画像形成装置とビンとの間の搬送経路中で略中央部分から二つに折るシート折り手段と、シート折り手段によって二つに折られた表紙記録紙を反折り目形成側を開口させてビンに収容する表紙記録紙排紙収容手段と、表紙記録紙収容手段によって開口した状態の表紙記録紙内に通常記録紙を排紙する通常記録紙排紙手段と、表紙記録紙の開口部を閉じる表紙記録紙閉鎖手段と、を備え、表紙記録紙に通常記録紙を挟み込んで袋綴じ状の簡易な封筒を作成するように構成したものである。
【０００６】
また、上記特開平５−３１９４０６号公報に係る画像形成装置の記録紙後処理装置は、画像形成装置に接続される後処理装置に対して、通常の文書を排出する手段と、封入装置とを組み合わせて設け、前記後処理装置内において、秘密処理が指定される文書を、整合した状態で封入装置に向けて送り出す手段を設け、前記封入装置においては、文書の上下両面を覆うようにフィルムを供給する手段と、該フィルムをシールする手段とを配置するように構成したものである。
【０００７】
さらに、上記特開平６−２１９６２７号公報に係る画像形成装置の記録紙後処理装置は、画像形成装置に接続される後処理装置に対して、通常の文書を排出する手段と、綴じ込み装置または封入装置とを組み合わせて設け、綴じ込みを指定した文書を綴じ込むか、または、秘密処理が指定される文書をプラスチック製のフィルムの袋に封入する手段を用いて、前記後処理装置内において文書を処理する装置において、前記後処理装置に配置した用紙整合手段により整合した文書に対して、封入装置内で搬送する搬送ローラ装置を、文書の厚さに対応させて、ローラ間の間隔を変更可能に設けるとともに、前記搬送ローラ装置に対して、任意の位置で駆動を行い得る駆動機構を配置するように構成したものである。
【０００８】
又、上記特開平６−２１９６２８号公報に係る画像形成装置の記録紙後処理装置は、画像形成装置に接続される後処理装置に対して、通常の文書を排出する手段と、綴じ込みおよび袋に封入する装置を組み合わせて設け秘密処理が指定される文書を綴じ込んだ状態で、プラスチック製のフィルムの袋に封入する封入装置を配置し、前記封入装置に向けて送られる文書の上下の部分に重ねる状態で、プラスチック製のフィルムを送り出す機構を配置してなる装置において、前記封入装置において、文書の上下に重ねたフィルムの両側部と前後の部分を熱シール手段により袋を形成するとともに、前記フィルム部材には、文書の内容を隠すための印刷等が施され、受信者の表示を行う部分に透明な部分を形成し、前記文書の上下に配置するフィルム部材のうち、上フィルムの両側の熱シールを行う部分と、１つの文書に対応する前後の熱シールを行う部分とを、印刷を施さない部分として構成し、前記印刷を施さない周囲の部分に対して、熱シールによる接着を行って、封入文書を作成するように構成したものである。
【０００９】
更に、上記特開平７−３１５６７８号公報に係る画像形成装置の記録紙後処理装置は、ファクシミリ等の画像形成装置に接続される後処理装置に対して、画像形成装置において作成した記録紙をそのまま排出する手段と、綴じ込みまたは袋に封入して排出する手段を組み合わせて設け、記録紙作成指令に応じた記録紙の処理を行うとともに、前記後処理装置に設ける記録紙を袋に封入する手段に、袋の前後を熱溶着させて切断するカッター装置と、袋の両側部を封止するサイドシール装置を設けた封入装置を装備した装置において、前記カッター装置を固定位置に配置するヒータ受け部材と、上下動可能に設けたヒータ部材により構成し、前記ヒータ部材を上昇させる位置で、記録紙の通過経路との間を区画するカバー部材を設け、前記カバー部材にはヒータ部材の上下動に連動させて揺動する手段を設け、ヒータ部材をヒータ受け部材に向けて移動させる動作により、ヒータ部材の移動経路から退避させる手段を構成するものである。
【発明の開示】
【発明が解決しようとする課題】
【００１０】
ところで、この発明が解決しようとする課題は、画像出力装置の排出部に対して操作者が必要に応じて記録媒体の記録画像を目立たなくする収容容器を容易に着脱することができる画像出力装置を提供することにある。
【課題を解決するための手段】
【００１１】
すなわち、請求項１に記載された発明は、画像出力装置の排出部に設けられ、前記排出部から排出される記録媒体を収容し、前記記録媒体の記録画像を外部から目視不可とする収容容器を着脱自在に装着する収容容器装着手段を備えたことを特徴とする記録媒体収容装置である。
【００１２】
また、請求項２に記載された発明は、前記排出部から排出された記録媒体を、前記収容容器の内部へと案内する案内部材を備えていることを特徴とする請求項１に記載の記録媒体収容装置である。
【００１３】
さらに、請求項３に記載された発明は、前記画像出力装置の前記排出部から排出された記録媒体を受ける排出トレイを取り外した状態、又は前記排出トレイが退避した状態で、前記収容容器を着脱自在に構成したことを特徴とする請求項１又は２に記載の記録媒体収容装置である。
【００１４】
又、請求項４に記載された発明は、前記収容容器は、前記排出部から排出される記録媒体を、当該記録媒体の自重によって内部に収容することを特徴とする請求項１乃至３のいずれかに記載の記録媒体収容装置である。
【００１５】
更に、請求項５に記載された発明は、前記収容容器は、フィルム状の合成樹脂によって上端面が全面開口し、且つ上端開口部の両側に環状の把手部を有する袋状に形成されており、前記収容容器は、環状の把手部を収容容器装着手段に係止することによって、当該収容容器装着手段に装着されることを特徴とする請求項１乃至４のいずれかに記載の記録媒体収容装置である。
【００１６】
また、請求項６に記載された発明は、前記収容容器は、上端面が全面開口又は開閉自在な箱体状に形成されており、前記収容容器は、箱体状に形成された当該収容容器を収容容器装着手段に配置することによって装着されることを特徴とする請求項１乃至５のいずれかに記載の記録媒体収容装置である。
【００１７】
さらに、請求項７に記載された発明は、前記収容容器装着手段の近傍に、当該収容容器装着手段に収容容器が装着されたか否かを検知する検知手段を備えたことを特徴とする請求項１乃至６のいずれかに記載の記録媒体収容装置である。
【００１８】
又、請求項８に記載された発明は、前記検知手段が前記収容容器装着手段に収容容器が装着されたことを検知しない場合は、記録媒体の排出を禁止することを特徴とする請求項７に記載の記録媒体収容装置である。
【００１９】
更に、請求項９に記載された発明は、画像を記録媒体に出力する画像出力部と、
前記画像出力部によって画像が出力された記録媒体を排出する排出部と、
前記排出部に設けられ、前記排出部から排出される記録媒体を収容し、前記記録媒体の記録画像を外部から目視不可とする収容容器を着脱自在に装着する収容容器装着手段とを備えたことを特徴とする画像出力装置である。
【００２０】
また、請求項１０に記載された発明は、前記画像出力装置は、複数の排出部を備えており、前記収容容器装着手段は、複数の排出部のうちの少なくとも１つの排出部に設けられていることを特徴とする請求項９に記載の画像出力装置である。
【００２１】
さらに、請求項１１に記載された発明は、前記収容容器装着手段の近傍に、当該収容容器装着手段に収容容器が装着されたか否かを検知する検知手段を備えたことを特徴とする請求項９又は１０に記載の画像出力装置である。
【００２２】
又、請求項１２記載された発明は、前記画像出力装置は、前記画像出力部によって画像が出力された記録媒体を、通常の排出部に排出する通常排出モードと、
前記画像出力部によって画像が出力された記録媒体を、前記収容容器装着手段が設けられた排出部に排出する特殊排出モードとを備えていることを特徴とする請求項９乃至１１のいずれかに記載の画像出力装置である。
【発明の効果】
【００２３】
請求項１に記載された発明によれば、画像出力装置の排出部に対して操作者が必要に応じて記録媒体の記録画像を目立たなくする収容容器を着脱することができる。
【００２４】
また、請求項２に記載された発明によれば、装置の構成が複雑化することなく、排出部から排出される記録媒体を確実に既製の収容容器に収容することができる。
【００２５】
さらに、請求項３に記載された発明によれば、収容容器を容易に着脱することができる。
【００２６】
又、請求項４に記載された発明によれば、装置の構成を大幅に簡略化することができ、装置の占有面積の増大や、装置の大幅なコストアップを招くことがなく、しかも画像が形成された記録媒体が第三者の目に触れるのを防止し、プライバシーを保護することができる。
【００２７】
更に、請求項５に記載された発明によれば、収容容器の入手及び取り扱いが容易となる。
【００２８】
また、請求項６に記載された発明によれば、収容容器内に収容された記録媒体が不本位に屈曲したりするのを回避することができる。
【００２９】
さらに、請求項７に記載された発明によれば、画像が出力された記録媒体が、誤って収容容器内に収容されずに、第三者の目に触れる状態で画像出力装置の外部に排出されるのを確実に防止することができる。
【００３０】
又、請求項８に記載された発明によれば、記録媒体の記録画像が誤って露出するのを回避することができる。
【００３１】
更に、請求項９に記載された発明によれば、装置の構成を大幅に簡略化することができ、装置の占有面積の増大や、装置の大幅なコストアップを招くことがなく、しかも画像が形成された記録媒体が第三者の目に触れるのを防止し、プライバシーを保護することができる。
【００３２】
更に、請求項１０に記載された発明によれば、利用者がプライバシーを保護する必要性があると判断した場合にのみ、画像が出力された記録媒体を収容容器の内部へと排出することができる。
【００３３】
また、請求項１１に記載された発明は、画像が出力された記録媒体が、誤って収容容器内に収容されずに、第三者の目に触れる状態で画像出力装置の外部に排出されるのを確実に防止することができる。
【００３４】
さらに、請求項１２に記載された発明によれば、利用者のニーズに応じて、画像が記録された記録媒体が第三者の目に触れるのを防止することができる。
【発明を実施するための最良の形態】
【００３５】
以下に、この発明の実施の形態について図面を参照して説明する。
【００３６】
実施の形態１
図２はこの発明の実施の形態１に係る記録媒体収容装置を適用したカラーの画像出力装置を示すものである。この画像出力装置は、画像読取装置を備えており、プリンターとしての機能以外に、複写機並びにファクシミリとしての機能を備えている。
【００３７】
図２において、１はカラーの画像出力装置の本体を示すものであり、この装置本体１の上方には、原稿２を一枚ずつ分離した状態で自動的に搬送する自動原稿搬送装置３と、当該自動原稿搬送装置３によって搬送される原稿２の画像を読み取る原稿読取装置４が配設されている。この原稿読取装置４は、プラテンガラス５上に配置された原稿２を光源６によって照明し、原稿２からの反射光像を、フルレートミラー７及びハーフレートミラー８、９及び結像レンズ１０からなる縮小光学系を介してＣＣＤ等からなる画像読取素子１１上に走査露光することにより、この画像読取素子１１によって原稿２の反射光像を予め定められたドット密度（例えば、１６ドット／ｍｍ）で読み取るようになっている。
【００３８】
上記原稿読取装置４によって読み取られた原稿２の反射光像は、例えば、赤（Ｒ）、緑（Ｇ）、青（Ｂ）（各８ｂｉｔ）の３色の原稿反射率データとして画像処理装置１２に送られ、この画像処理装置１２では、原稿２の反射率データに対して、シェーディング補正、位置ズレ補正、明度／色空間変換、ガンマ補正、枠消し、色／移動編集等の予め定められた画像処理が施される。また、画像処理装置１２は、図示しないパーソナルコンピュータや電話回線等から送られてくる画像データに対しても、予め定められた画像処理を行なうように構成されている。なお、上記画像処理装置１２は、図示しないパーソナルコンピュータや電話回線等に対して送信する画像データに対しても、必要に応じて予め定められた画像処理を行なう。
【００３９】
そして、上記の如く画像処理装置１２で予め定められた画像処理が施された画像データは、同じく画像処理装置１２によって、イエロー（Ｙ）、マゼンタ（Ｍ）、シアン（Ｃ）、黒（Ｋ）（各８ビット）の４色の画像データに変換され、次に述べるように、イエロー（Ｙ）、マゼンタ（Ｍ）、シアン（Ｃ）、黒（Ｋ）の各色の画像形成ユニット１３Ｙ、１３Ｍ、１３Ｃ、１３Ｋの画像露光装置１４に送られ、この画像露光装置１４では、予め定められた色の原稿２の画像データに応じてＬＥＤ発光素子アレイから出射される光によって画像露光が行われる。
【００４０】
上記カラーの画像出力装置本体１の内部には、図２に示すように、イエロー（Ｙ）、マゼンタ（Ｍ）、シアン（Ｃ）、黒（Ｋ）の４つの画像形成ユニット（画像出力部）１３Ｙ、１３Ｍ、１３Ｃ、１３Ｋが、第１色目のイエロー（Ｙ）の画像形成ユニット１３Ｙが相対的に高く、最終色の黒（Ｋ）の画像形成ユニット１３Ｋが相対的に低くなるように、水平方向に対して予め定められた角度だけ傾斜した状態で一定の間隔を隔てて並列的に配置されている。
【００４１】
このように、イエロー（Ｙ）、マゼンタ（Ｍ）、シアン（Ｃ）、黒（Ｋ）の４つの画像形成ユニット１３Ｙ、１３Ｍ、１３Ｃ、１３Ｋを、予め定められた角度だけ傾斜した状態で配置することにより、これら４つの画像形成ユニット１３Ｙ、１３Ｍ、１３Ｃ、１３Ｋを水平に配置した場合に比較して、幅方向の距離を短く設定することができ、装置本体１の幅を小さくして小型化が可能となる。
【００４２】
これらの４つの画像形成ユニット１３Ｙ、１３Ｍ、１３Ｃ、１３Ｋは、基本的に、同様に構成されており、図２に示すように、大別して、図示しない駆動手段によって予め定められた速度で回転駆動される像担持体としての感光体ドラム１５と、この感光体ドラム１５の表面を一様に帯電する一次帯電用の帯電ロール１６と、当該感光体ドラム１５の表面に予め定められた色に対応した画像を露光して静電潜像を形成するＬＥＤプリントヘッドからなる画像露光装置１４と、感光体ドラム１５上に形成された静電潜像を予め定められた色のトナーで現像する現像器１７と、感光体ドラム１５の表面を清掃するクリーニング装置１８とから構成されている。
【００４３】
上記感光体ドラム１５としては、例えば、直径３０ｍｍのドラム状に形成され、表面に有機感光体を被覆したものが用いられ、図示しない駆動モーターによって予め定められた回転速度で回転駆動される。
【００４４】
また、上記帯電ロール１６としては、例えば、芯金の表面に合成樹脂やゴムからなり電気抵抗を調整した導電層を被覆したロール状の帯電器が用いられ、この帯電ロール１６の芯金には、予め定められた帯電バイアスが印加されるものが用いられている。さらに、この帯電ロール１６の表面には、当該帯電ロール１６の表面に付着したトナー等の異物を除去するためのクリーニングロール１６ａが接触するように配置されている。
【００４５】
上記画像露光装置１４は、図２に示すように、４つの画像形成ユニット１３Ｙ、１３Ｍ、１３Ｃ、１３Ｋ毎にそれぞれ個別に配置されており、各画像形成ユニット１３Ｙ、１３Ｍ、１３Ｃ、１３Ｋに設けられた画像露光装置１４としては、ＬＥＤ発光素子を予め定められたピッチ（例えば、６００ｄｐｉ〜１２００ｄｐｉ）で直線状に配置したＬＥＤ発光素子アレイと、当該ＬＥＤ発光素子アレイの各ＬＥＤ発光素子から出射された光を感光体ドラム１５上にスポット状に結像するセルフォックレンズ（商品名）アレイとを備えたものが用いられる。また、上記画像露光装置１４は、図２に示すように、下方から感光体ドラム１５上に画像を走査露光するように構成されている。
【００４６】
なお、上記画像露光装置１４としては、ＬＥＤ発光素子アレイからなるものに限らず、レーザービームを各感光体ドラム１５の軸方向に沿って走査露光するものなどを用いても勿論良い。この場合には、４つの画像形成ユニット１３Ｙ、１３Ｍ、１３Ｃ、１３Ｋに対して共通の画像露光装置１４を１つ配置しても良い。
【００４７】
上記画像処理装置１２からは、イエロー（Ｙ）、マゼンタ（Ｍ）、シアン（Ｃ）、黒（Ｋ）の各色の画像形成ユニット１３Ｙ、１３Ｍ、１３Ｃ、１３Ｋに個別に設けられた画像露光装置１４Ｙ、１４Ｍ、１４Ｃ、１４Ｋに、各色の画像データが順次出力され、これらの画像露光装置１４Ｙ、１４Ｍ、１４Ｃ、１４Ｋから画像データに応じて出射された光束は、対応する感光体ドラム１５の表面に走査露光され、静電潜像が形成される。上記感光体ドラム１５上に形成された静電潜像は、現像器１７Ｙ、１７Ｍ、１７Ｃ、１７Ｋによって、それぞれイエロー（Ｙ）、マゼンタ（Ｍ）、シアン（Ｃ）、黒（Ｋ）の各色のトナー像として現像される。
【００４８】
上記各画像形成ユニット１３Ｙ、１３Ｍ、１３Ｃ、１３Ｋの感光体ドラム１５上に、順次形成されたイエロー（Ｙ）、マゼンタ（Ｍ）、シアン（Ｃ）、黒（Ｋ）の各色のトナー像は、各画像形成ユニット１３Ｙ、１３Ｍ、１３Ｃ、１３Ｋの上方にわたって傾斜した状態で配置されたベルト状の中間転写体としての中間転写ベルト２０上に、４つの一次転写ロール２１によって順次多重に転写される。
【００４９】
この中間転写ベルト２０は、複数のロールによって張架されたベルト状部材であって、当該ベルト状部材の下辺走行領域が、その走行方向に沿った下流側が相対的に低く、且つ上流側が相対的に高くなるように、水平方向に対して傾斜した状態で配置されている。
【００５０】
即ち、上記中間転写ベルト２０は、図２に示すように、ドライブロール２２と、バックアップロール２３と、テンションロール２４と、第１のアイドラーロール２５と、第２のアイドラーロール２６との間に一定のテンションで掛け回されており、図示しない定速性に優れた専用の駆動モーターによって回転駆動されるドライブロール２２により、矢印方向に予め定められた速度で循環駆動されるようになっている。上記中間転写ベルト２０としては、例えば、可撓性を有するポリイミド等の合成樹脂フィルムを帯状に形成し、この帯状に形成された合成樹脂フィルムの両端を溶着等の手段によって接続することにより、無端ベルト状に形成したものや、あるいは最初から無端ベルト状に形成したものなどが用いられる。上記中間転写ベルト２０は、その下辺走行領域において、各画像形成ユニット１３Ｙ、１３Ｍ、１３Ｃ、１３Ｋの感光体ドラム１５Ｙ、１５Ｍ、１５Ｃ、１５Ｋに接触するように配置されている。
【００５１】
また、上記中間転写ベルト２０には、図２に示すように、水平方向Ｈに対して角度θだけ傾斜した状態で配置された中間転写ベルト２０の低位側の端部に配置され、中間転写ベルト２０上に一次転写されたトナー像を記録媒体上に二次転写する二次転写手段としての二次転写ロール２７が、バックアップロール２３によって張架された中間転写ベルト２０の表面に当接するように配置されている。
【００５２】
上記中間転写ベルト２０上に多重に転写されたイエロー（Ｙ）、マゼンタ（Ｍ）、シアン（Ｃ）、黒（Ｋ）の各色のトナー像は、バックアップロール２３に圧接する二次転写ロール２７によって、圧接力及び静電気力で記録媒体としての記録用紙２８上に二次転写され、これらの各色のトナー像が転写された記録用紙２８は、鉛直方向の上方に位置する定着器２９へと搬送される。上記二次転写ロール２７は、バックアップロール２３の側方に圧接しており、鉛直方向の下方から上方に搬送される記録用紙２８上に、各色のトナー像を二次転写するようになっている。
【００５３】
上記二次転写ロール２７としては、例えば、ステンレス等の金属からなる芯金の外周に、導電剤を添加した発泡ゴム材料等の導電性発泡体からなる発泡層を予め定められた厚さに被覆したものが用いられる。
【００５４】
そして、上記各色のトナー像が転写された記録用紙２８は、定着器２９によって熱及び圧力で定着処理を受けた後、定着器２９の出口ロール３０及び用紙排出経路３１を介して第１の排出部としての第１の排出ロール３２によって本体１の胴体部に設けられた第１の排出トレイ（フェイスダウントレイ）３３上に排出されるか、又は第２の排出部としての第２の排出ロール３４によって本体１の胴体の上方に設けられた途中で屈曲した平板状の第２の排出トレイ３５上に排出されるか、又は第３の排出部としての第３の排出ロール３６によって本体１の側方（図示例では、左側面上方）に突出するように設けられた第３の排出トレイ３７上に排出される。なお、上記第３の排出ロール３６は、フェイスアップトレイとしての第３の排出トレイ３７上に画像面を上にした状態で排出するものである。
【００５５】
上記記録用紙２８は、図２に示すように、複合機本体１の内部に配置された給紙トレイ４０、又は複合機本体１の下方に複数段配設された給紙トレイ４１〜４３から予め定められたサイズ及び材質のものが、給紙ローラ４４及び用紙分離搬送用のローラ対４５、４６により一枚ずつ分離された状態で給紙され、搬送ロール４９及び用紙搬送路４７を介して、レジストロール４８まで一旦搬送されて停止される。上記給紙トレイ４０〜４３の何れかから供給された記録用紙２８は、予め定められたタイミングで回転するレジストロール４８によって中間転写ベルト２０の二次転写位置へ送出される。上記記録用紙２８としては、普通紙以外にも、表面又は表裏両面にコーティング処理が施されたコート紙等の厚紙なども供給可能となっており、コート紙からなる記録用紙２８には、写真画像なども出力される。
【００５６】
なお、上記カラー画像出力装置において、フルカラーやモノクロの両面コピーをとる場合には、片面に画像が定着された記録用紙２８を、第１乃至第３の排出ロール３２、３４、３６によって第１乃至第３の排出トレイ３３、３５、３７上にそのまま排出せずに、記録用紙２８を第２の排出ロール３４へと一旦搬送し、当該記録用紙２８の後端が第２の排出ロール３４によって挟持されている間に、図示しない切替ゲートによって記録用紙２８の搬送方向を切り替え、複合機本体１の側面に設けられた両面用搬送ユニット５０へと搬送する。そして、この両面用搬送ユニット５０では、搬送径路５１に沿って設けられた搬送用のローラ対５２〜５４により、記録用紙２８がその搬送方向を逆転して表裏を反転した状態で、再度レジストロール４８へと搬送され、今度は、当該記録用紙２８の裏面に画像が転写・定着された後、第１の排出トレイ３３乃至第３の排出トレイ３７のいずれかに排出される。
【００５７】
図２中、５５Ｙ、５５Ｍ、５５Ｃ、５５Ｋは、イエロー（Ｙ）、マゼンタ（Ｍ）、シアン（Ｃ）、黒（Ｋ）の各色の現像器１７に、予め定められた色のトナーを供給するトナーカートリッジをそれぞれ示しており、黒（Ｋ）色のトナーを収容したトナーカートリッジ５５Ｋは、使用頻度が高いため、他のカラーのトナーカートリッジと比較して大型に形成されている。
【００５８】
また、図２中、５６は手差しトレイを示すものであり、この手差しトレイ５６からは、所望の材質及びサイズの記録媒体２８が、給紙ローラ５７及び用紙分離搬送用のローラ対５８、５９により搬送ロール６０を介して、レジストロール４８へと搬送される。
【００５９】
図２は上記カラー画像出力装置の各画像形成ユニット（画像出力部）をも示すものである。
【００６０】
上記イエロー色、マゼンタ色、シアン色及び黒色の４つの画像形成ユニット１３Ｙ、１３Ｍ、１３Ｃ、１３Ｋは、図２に示すように、すべて同様に構成されており、これらの４つの画像形成ユニット１３Ｙ、１３Ｍ、１３Ｃ、１３Ｋでは、上述したように、それぞれイエロー色、マゼンタ色、シアン色及び黒色のトナー像が予め定められたタイミングで順次形成されるように構成されている。上記各色の画像形成ユニット１３Ｙ、１３Ｍ，１３Ｃ、１３Ｋは、上述したように、感光体ドラム１５を備えており、これらの感光体ドラム１５の表面は、一次帯電用の帯電ロール１６によって一様に帯電される。その後、上記感光体ドラム１５の表面は、画像露光装置１４から画像データに応じて出射される光束が走査露光されて、各色に対応した静電潜像が形成される。上記感光体ドラム１５上に走査露光される光束は、当該感光体ドラム１５の直下よりやや右側寄りの斜め下方から、予め定められた傾斜角度で露光されるように設定されている。上記感光体ドラム１５上に形成された静電潜像は、図４に示すように、各画像形成ユニット１３Ｙ、１３Ｍ、１３Ｃ、１３Ｋの現像器１７の現像ロール１７ａによってそれぞれイエロー色、マゼンタ色、シアン色、黒色の各色のトナーにより現像されて可視トナー像となり、これらの可視トナー像は、一次転写ロール２１の帯電によって中間転写ベルト２０上に順次多重に転写される。
【００６１】
上記各現像器１７Ｙ、１７Ｍ、１７Ｃ、１７Ｋは、トナーとキャリアからなる二成分の現像剤を用いた二成分現像方式を採用しており、現像ロール１７ａの表面にトナーとキャリアからなる二成分現像剤の磁気ブラシを形成して、対応する色の感光体ドラム１５Ｙ、１５Ｍ、１５Ｃ、１５Ｋの表面に形成された静電潜像を現像するように構成されている。
【００６２】
なお、トナー像の転写工程が終了した後の感光体ドラム１５の表面は、図２に示すように、クリーニング装置１８によって残留トナーや紙粉等が除去されて、次の画像形成プロセスに備える。上記クリーニング装置１８は、図２に示すように、クリーニングブレード６１を備えており、このクリーニングブレード６１によって、感光体ドラム１５上の廃トナーや紙粉等を除去するようになっている。上記クリーニングブレード６１によって除去された廃トナー等は、クリーニング装置１８の内部に設けられた図示しない搬送用オーガーによって、予め定められたタイミングで複写機本体１のフロント側へと搬送され、図示しない搬送用のパイプを介して、図２に示すように、廃トナー回収容器７０へと搬送される。
【００６３】
また、トナー像の転写工程が終了した後の中間転写ベルト２０の表面は、図２に示すように、二次転写後、クリーニング装置６３によって残留トナーや紙粉等が除去されて、次の画像形成プロセスに備える。上記クリーニング装置６３は、図２に示すように、クリーニングブレード６４を備えており、このクリーニングブレード６４によって、中間転写ベルト２０上の残留トナーや紙粉等を除去するようになっている。上記クリーニングブレード６４によって除去された廃トナー等は、クリーニング装置６３の内部に設けられた搬送用オーガー６５によって、予め決められたタイミングで装置本体１のフロント側へと搬送され、図示しない搬送用のパイプを介して、廃トナー回収容器７０へと搬送される。
【００６４】
ところで、この実施の形態１に係る記録媒体収容装置を適用したカラーの画像出力装置は、企業のオフィス等に設置されて使用される以外にも、コンビニエンスストアや公共施設などに設置されて不特定多数の利用者であるユーザーによって使用される。そして、この画像出力装置では、コンビニエンスストアや公共施設などにおいて、文書の複写以外にもデジタルカメラ等で撮影した画像情報のプリントや文書情報のファクシミリ機能による送受信などが行なわれる。
【００６５】
上記カラー画像出力装置本体１は、電話回線等の通信回線１００を介して、他のファクシミリを備えた画像出力装置１０１などと接続されており、他の画像出力装置７２との間で文書情報１０２等の送受信が可能となっている。
【００６６】
また、上記カラー画像出力装置は、図３に示すように、画像が複写やプリントされた記録用紙２８を、単に装置本体１の胴体に設けられた第１及び第２の排出トレイ３３、３５に排出したり、装置本体１の側面に設けられた第３の排出トレイ３７に排出する通常排出モード以外に、画像が複写やプリントされた記録用紙２８が、第三者の目に触れるのを防止した状態で排出する秘密（特殊）排出モードを備えている。
【００６７】
このカラー画像出力装置は、電話回線等の通信回線１００を介して、他のファクシミリを備えた画像出力装置１０１などと接続されており、他の画像出力装置７２から送られてきた文書情報１０２を出力する機能を備えている。また、このカラー画像出力装置は、図２に示すように、画像読取装置４によって読み取った文書等の画像情報や、図示しない記憶媒体に記憶された写真画像なども、複写やプリントすることが可能となっている。
【００６８】
その際、上記他の画像出力装置１０２から送られてきた私文書等の文書情報１０２や、画像読取装置４によって読み取った文書等の画像情報、あるいは図示しない記憶媒体に記憶された写真画像などの画像情報は、個人情報を含んでいる場合もあり、カラー画像出力装置によって出力する際に、第三者の目に触れずに秘密の状態で出力し、プライバシーを保護したいというニーズが存在する。
【００６９】
そこで、この実施の形態に係るカラー画像出力装置では、図１に示すように、排出部としての第１乃至第３の排出ロール３２、３４、３６のうち、第３の排出ロール３６の排出口外側に、当該第３の排出ロール３６から排出される記録用紙２８を収容する既製の収容容器を装着する収容容器装着手段としての装着用アーム８０が２つ設けられている。上記装着用アーム８０は、装置本体１の側面において、第３の排出ロール３６の軸方向に沿った両端部の複合機本体１の側面１ａにそれぞれ配置されており、最大サイズの記録用紙２８の排出方向と角度を成して交差する方向の両側に離間した状態で設けられている。上記装着用アーム８０は、図１に示すように、例えば、第３の排出トレイ３７の代わりに装置本体１の側面に固定した状態で装着されるが、第３の排出トレイ３７を折り畳み自在に構成して、当該装着用アーム８０を使用する際には、第３の排出トレイ３７を下方又は上方へ折り畳んで、装着用アーム８０を使用するように構成しても良い。
【００７０】
上記装着用アーム８０は、図４及び図５に示すように、その円弧形状に形成された基端部８１が装置本体１の側面１ａに固定した状態で取り付けられているとともに、当該基端部８１には、水平方向外側に向けて腕部８２が一体的に突設されている。また、上記両方の腕部８２の先端部近傍には、円筒形状の係止部８３が角度をなして交差するように且つ互いに離反する方向へ向けて設けられているとともに、当該係止部８３の端部には、円板状の抜止部８４が設けられている。
【００７１】
そして、上記装着用アーム８０には、図６に示すように、例えば、コンビニエンスストア等で商品を収容するために使用される既製の収容容器としてのビニールやポリエチレン等の合成樹脂からなる半透明又は不透明な袋体８５が、その上端部に設けられた環状の把手部８６を、円板状の抜止部８４を通過させた状態で係止部８３に係止させることによって装着自在となっている。
【００７２】
なお、上記袋体８５は、図７に示すように、ビニールやポリエチレン等の合成樹脂製のフィルムによって、上端面８７のみが全面開口した半透明あるいは不透明な袋状に形成されている。また、この袋体８５には、その開口部８６の幅方向に沿った両端部に、袋体８５を手で下げるための環状の把手部８６がそれぞれ設けられている。上記把手部８６は、袋体８５の表裏両面の上端部８５ａ、８５ｂを上方へ向けて細長い長方形状に突出させるとともに、その上端部８５ａ、８５ｂの端部同士を互いに溶着することにより、側面から手を入れることが可能な環状の空間８８が形成されている。上記袋体８５は、図６に示すように、その把手部８６の環状の空間８８を介して、装着用アーム８０の係止部８３に係止される。
【００７３】
さらに、上記カラー画像出力装置の本体１には、図４及び図５に示すように、排出部としての第３の排出ロール３６の排出口側に、当該第３の排出ロール３６から排出される記録用紙２８を、装着用アーム８０に装着された袋体８５の内部へと案内するガイド部材９０が設けられている。このガイド部材９０は、第３の排出ロール３６の軸方向に沿った両端部に位置する排出ロール３６ａ、３６ｂに対応した位置にそれぞれ配設されており、当該ガイド部材９０は、第３の排出ロール３６から排出される記録用紙２８の上面を案内する上面案内板９１と、この上面案内板９１と予め定められた間隔を隔てて対向するように配設された記録用紙２８の下面を案内する下面案内板９２とから構成されている。
【００７４】
また、上記上面案内板９１は、図５に示すように、その基端部９１ａが第３の排出ロール３６の排出部上方に固定した状態で水平方向に沿って取り付けられているとともに、その中間部９１ｂは、予め定められた曲率半径を有するように下方へ向けて湾曲しており、先端部９１ｃが鉛直方向の下方に向けて直線状に突設されている。
【００７５】
一方、上記下面案内板９２は、図５に示すように、その基端部９２ａが第３の排出ロール３６の排出部下方に、例えば、排出ロール３６の下方ロールの回転軸に固定した状態で水平方向に沿って取り付けられているとともに、その中間部９２ｂは、予め定められた曲率半径を有するように下方へ向けて湾曲しており、先端部９２ｃが鉛直方向の下方に向けて直線状に突設されている。上記ガイド部材９０の上面案内板９１及び下面案内板９２の先端部は、図６に示すように、袋体８５の上端開口部８７の内部に位置するように配置され、第３の排出ロール３６から排出される記録用紙２８を袋体８５の内部に確実に案内可能となっている。
【００７６】
図８は上記カラー画像出力装置の操作パネルを示す構成図である。
【００７７】
図８において、１１０は操作パネルを示すものであり、この操作パネル１１０には、画像が出力された記録用紙２８を排出する排出部を指定する排出部指定部１１１が設けられているとともに、画像が出力された記録用紙２８が、第三者の目に触れるのを防止した状態で排出する秘密（特殊）排出モードを指定する秘密（特殊）排出モード指定部１１２が設けられている。
【００７８】
通常、カラー画像出力装置は、他の画像出力装置１０１等からファクシミリ機能によって画像情報１０２が送られてくると、当該カラー画像出力装置が画像の出力中でない限り、他の画像出力装置１０１から送られてきた画像情報１０２をそのまま出力するが、秘密（特殊）排出モード指定部１１２によって秘密排出モードが指定されている場合には、他の画像出力装置１０１から送られてきた画像情報１０２を第１の排出ロール３２等によってそのまま出力するのではなく、画像が出力された記録用紙２８を第３の排出ロール３６から既製の収容容器としての袋体８５の内部に直接排出するように設定されている。
【００７９】
その際、上記カラー画像出力装置では、秘密（特殊）排出モード指定部１１２によって秘密排出モードが指定された場合に、図１１に示すように、装着用アーム８０に袋体８５が装着されているか否かを機械的又は光学的に検知する検知手段としてのセンサー１１３を備え、装着用アーム８０に袋体８５が装着されていることを検知した場合にのみ、第３の排出ロール３６から記録用紙２８を排出するように構成しても良い。
【００８０】
以上の構成において、この実施の形態に係るカラー画像出力装置の場合には、次のようにして、シート折り手段や閉鎖手段、あるいは文書を覆うフィルム供給手段や、フィルムシール手段などを備えた装置と比較して、装置構成の複雑化に伴う装置の占有面積の増大や、装置の大幅なコストアップを招くことがなく、画像が形成された記録媒体が第三者の目に触れるのを防止し、プライバシーを保護することが可能となっている。
【００８１】
すなわち、この実施の形態に係るカラー画像出力装置では、ファクシミリ機能を用いて、電話回線等の通信回線１００を介して接続されたファクシミリ機能を備えた画像出力装置１０１から文書情報１０２を送受信することが可能となっている。その際、このカラー画像出力装置では、受信した文書情報１０２が記録された記録用紙２８を、第１の排出ロール３２又は第２の排出ロール３４によって排出する通常排出モード以外に、画像が複写やプリントされた記録用紙２８が、第三者の目に触れるのを防止するため、第３の排出ロール３６から排出する秘密排出モードを備えている。
【００８２】
上記カラー画像出力装置では、図８に示すように、秘密（特殊）排出モード指定部１１２によって秘密排出モードが指定されると、ユーザーインターフェースの表示パネルに、ユーザーに複合機本体１の側面１ａに設けられた装着用アーム８０に、袋体８５を装着するように促すメッセージが表示され、ユーザーによって装着用アーム８０に袋体８５が装着される。
【００８３】
その後、上記カラー画像出力装置では、スタートボタンが押されると、画像処理装置１２のメモリに記憶された文書情報が出力され、文書情報が形成された記録用紙２８が、第３の排出ロール３６から装着用アーム８０に装着された袋体８５の内部に排出される。この第３の排出ロール３６から排出された記録用紙２８は、複数枚排出される場合であっても、図９に示すように、案内部材９０によって袋体８５の内部に確実に案内され、第三者の目に触れることなく、袋体８５の内部に収容される。
【００８４】
そのため、上記カラー画像出力装置によれば、図６に示すように、既製の袋体８５を装着用アーム８０に装着するという簡単な構成で、装置の占有面積の増大や、装置の大幅なコストアップを招くことなく、画像が出力された記録用紙２８の画像情報が第三者の目に触れるのを防止することができ、プライバシーを保護することが可能となっている。
【００８５】
実施の形態２
図１０はこの発明の実施の形態２を示すものであり、前記実施の形態と同一の部分には同一の符号を付して説明すると、この実施の形態２では、画像が出力された記録媒体を第３の排出部によって排出するのではなく、画像が出力された記録媒体を第２の排出部によって排出する構成において、当該第２の排出部によって排出される記録媒体が第三者の目に触れるのを防止可能となっている。
【００８６】
すなわち、この実施の形態２では、図１１及び図１２に示すように、第１の排出ロール３２から排出される記録用紙２８を、ビニールやポリエチレン製の袋体８５に収容するように構成されている。上記第１の排出ロール３２は、その排出口が装置本体１の胴体に設けられた第１の排出トレイ３３の端部に面して配設されている。この第１の排出ロール３２の排出口外側には、その上部に当該第１の排出ロール３２から排出される記録用紙２８を収容する袋体８５を装着する装着用アーム８０が設けられている。この装着用アーム８０は、第１の排出ロール３２の軸方向に沿った両端部の上方にそれぞれ配設されており、最大サイズの記録用紙２８の排出方向と直交する方向の両側に離間した状態で設けられている。この実施の形態２では、画像が出力された記録媒体を第３の排出部によって排出するのではなく、画像が出力された記録媒体を第２の排出部によって排出する構成において、当該第２の排出部によって排出される記録媒体８５が第三者の目に触れるのを防止可能となっている。
【００８７】
なお、図示例では、便宜上、第２の排出トレイ３５の図示が省略されているが、装着用アーム８０は、第２の排出トレイ３５と干渉するものではなく、第２の排出トレイ３５は、そのまま設けても良い。
【００８８】
上記装着用アーム８０は、図１０及び図１１に示すように、装置本体１の第１の排出トレイ３３に面した側面１ｂに垂直に固定した状態で取り付けられているとともに、当該装着用アーム８０の先端部近傍の上端面には、円筒形状の係止部８３が直交するように立設されているとともに、当該係止部８３の上端部には、円板状の抜止部８４が設けられている。
【００８９】
また、この実施の形態２では、図１０及び図１１に示すように、第１の排出ロール３２の下方に、当該第１の排出ロール３２から排出される記録用紙２８を、袋体８５の内部へと案内する板状のガイド部材９０が、第１の排出トレイ３３と略平行になるように配設されている。このガイド部材９０は、第１の排出ロール３２から排出される記録用紙２８の下面側をガイドすることにより、記録用紙２８を袋体８５の内部へと案内するものである。
【００９０】
そして、この実施の形態２では、図１２に示すように、袋体８５を第１の排出トレイ３３の右端側の開口部から、ガイド部材９０を内部に収容した状態で、第１の排出トレイ３３に沿って第１の排出ロール３２の基端部へと覆うように装着し、当該袋体８５の把手部８６を装着用アーム８０の係止部８３に係止することによって配設される。
【００９１】
この状態で、上記カラー画像出力装置では、図１２に示すように、第１の排出ロール３２によって画像が出力された記録用紙２８を排出することにより、当該第１の排出ロール３２から排出される記録用紙２８は、その先端部がガイド部材９０によってガイドされて袋体８５の内部へと案内され、袋体８５の内部に確実に収容される。
【００９２】
このように、上記実施の形態２の場合には、カラー画像出力装置の第１の排出ロール３２によって画像が記録された記録用紙２８を排出する場合に、画像が記録された記録用紙２８が袋体８５の内部に収容され、外部に露出することがない。
【００９３】
その他の構成及び作用は、前記実施の形態１と同様であるので、その説明を省略する。
【００９４】
実施の形態３
図１３はこの発明の実施の形態３を示すものであり、前記実施の形態と同一の部分には同一の符号を付して説明すると、この実施の形態３では、画像が出力された記録媒体を第１乃至第３の排出手段によって排出するのではなく、片面に画像が出力された記録媒体の表裏を反転する両面用搬送経路を用いて、画像が出力された記録媒体が第三者の目に触れるのをより一層確実に防止可能となっている。
【００９５】
上記カラー画像出力装置は、上述したように、記録用紙２８の片面のみならず、記録用紙２８の両面に画像を形成することが可能に構成されているが、当該カラー画像出力装置がコンビニエンスストアや公共施設など、不特定多数のユーザーが広く使用する場所に設置される場合には、本来備えている両面画像形成機能を使用しない場合が多い。
【００９６】
そこで、この実施の形態３では、上記カラー画像出力装置において、両面画像形成機能を使用しない代わりに、画像が出力された記録媒体が第三者の目に触れるのをより一層確実に防止することが可能となるように構成されている。
【００９７】
上記カラー画像出力装置において、フルカラーやモノクロの両面コピーをとる場合には、図２等に基づいて上述したように、片面に画像が定着された記録用紙２８を、第１の排出ロール３２乃至第３の排出ロール３６によって第１乃至第３の排出トレイ３３、３５、３７上にそのまま排出せずに、記録用紙２８を第２の排出ロール３４へと一旦搬送し、当該記録用紙２８の後端を第２の排出ロール３４によって挟持している間に、図示しない切替ゲートによって記録用紙２８の搬送方向を切り替え、装置本体１の側面に設けられた両面用搬送ユニット５０へと搬送するように構成されている。
【００９８】
この実施の形態３では、図１３に示すように、両面用搬送ユニット５０の一部をそのまま使用するとともに、当該両面用搬送ユニット５０の代わりに、収容容器装着部９５を備えるように構成されている。上記カラー画像出力装置では、秘密（特殊）排出モード指定部１１２によって秘密排出モードが指定されると、片面に画像が定着された記録用紙２８は、両面用搬送ユニット５０の位置へと搬送されるが、この両面用ユニット５０の代わりに、搬送径路５１の上端部のみが設けられており、当該搬送径路５１の下方は、収容容器としての収容箱８５を配置した状態で装着する空間からなる収容箱装着部９５となっている。
【００９９】
この収容箱装着部９５は、使用する収容箱８５の形状に合わせて設定されており、秘密（特殊）排出モード指定部１１２によって秘密排出モードが指定された場合に、両面用搬送ユニット５０の位置へと搬送される記録用紙２８が、図１４に示すように、搬送径路５１の下方に設けられた収容箱装着部９５に配置された収容箱８５の内部に収容される。
【０１００】
上記収容箱８５としては、図１５に示すように、例えば、上面が全面開口するか又は開閉自在な蓋体８５ｄを備えた厚さの比較的薄い直方体状の箱体が用いられる。なお、上記記録用紙２８は、自重によって収容箱の内部に収容されるものであり、前記実施の形態１又は２のように、記録用紙２８を収容箱の内部に案内するガイド部材は、特に設ける必要がない。
【０１０１】
このように、上記実施の形態３では、秘密（特殊）排出モード指定部１１２によって秘密排出モードが指定されると、画像が出力された記録用紙２８を、通常の第１乃至第３の排出ロール３２、３４、３６によって排出トレイ上に排出するのではなく、通常、記録用紙２８を排出する機能を備えていない両面用搬送ユニット５０から収容箱８５へと直接排出するように構成されているので、画像が出力された記録用紙２８が、第三者の目に触れる虞れがなく、第三者の目に触れるのをより一層確実に防止することが可能となる。
【０１０２】
その他の構成及び作用は、前記実施の形態１と同様であるので、その説明を省略する。
【図面の簡単な説明】
【０１０３】
【図１】図１はこの発明の実施の形態１に係る記録媒体収容装置を適用したカラー画像出力装置の要部を示す斜視構成図である。
【図２】図２はこの発明の実施の形態１に係る記録媒体収容装置を適用したカラー画像出力装置を示す構成図である。
【図３】図３はこの発明の実施の形態１に係る記録媒体収容装置を適用したカラー画像出力装置の要部を示す斜視図である。
【図４】図４はこの発明の実施の形態１に係る記録媒体収容装置を適用したカラー画像出力装置の要部を示す斜視図である。
【図５】図５はこの発明の実施の形態１に係る記録媒体収容装置を適用したカラー画像出力装置の要部を示す側面構成図である。
【図６】図６はこの発明の実施の形態１に係る記録媒体収容装置を適用したカラー画像出力装置の要部を示す側面構成図である。
【図７】図７は袋体を示す模式図である。
【図８】図８は操作パネルを示すブロック図である。
【図９】図９はこの発明の実施の形態１に係る記録媒体収容装置を適用したカラー画像出力装置の使用状態を示す斜視図である。
【図１０】図１０はこの発明の実施の形態２に係る記録媒体収容装置を適用したカラー画像出力装置の要部を示す斜視構成図である。
【図１１】図１１はこの発明の実施の形態２に係る記録媒体収容装置を適用したカラー画像出力装置を示す正面構成図である。
【図１２】図１２はこの発明の実施の形態２に係る記録媒体収容装置を適用したカラー画像出力装置を示す正面構成図である。
【図１３】図１３はこの発明の実施の形態３に係る記録媒体収容装置を適用したカラー画像出力装置の要部を示す構成図である。
【図１４】図１４はこの発明の実施の形態３に係る記録媒体収容装置を適用したカラー画像出力装置の要部を示す構成図である。
【図１５】図１５は収容箱を示す斜視構成図である。
【符号の説明】
【０１０４】
１：カラー画像出力装置本体、３２：第１の排出ロール、３４：第２の排出ロール、３６：第３の排出ロール、８０：装着用アーム、８５：袋体（収容容器）。
【図１】
2010149956.tif 000003
【図２】
2010149956.tif 000004
【図３】
2010149956.tif 000005
【図４】
2010149956.tif 000006
【図５】
2010149956.tif 000007
【図６】
2010149956.tif 000008
【図７】
2010149956.tif 000009
【図８】
2010149956.tif 000010
【図９】
2010149956.tif 000011
【図１０】
2010149956.tif 000012
【図１１】
2010149956.tif 000013
【図１２】
2010149956.tif 000014
【図１３】
2010149956.tif 000015
【図１４】
2010149956.tif 000016
【図１５】
2010149956.tif 000017